(57)【要約】【課題】払出しモータのメンテナンスを簡単に行うこと。【解決手段】タンクレールの底板２９の一部であるアースプレート４５をスライド操作することに基づいて前球抜き通路８２および後球抜き通路８３のそれぞれを開閉した。このため、払出しモータを機構部ケース３５に対して簡単に着脱することができるので、払出しモータのメンテナンスが簡単になる。しかも、遊技球が前球通路８０内および後球通路８１内のそれぞれに電荷の除去状態で進入する。このため、球検出スイッチの検出領域内に遊技球が帯電状態で進入することがなくなるので、球検出スイッチが遊技球の電荷で誤動作することを防止できる。【選択図】図７
2012152618.tif 000002
【特許請求の範囲】
【請求項１】
遊技者から見て左右方向へ指向するものであって、遊技球を左右方向の一端部から左右方向の他端部に向けて転がす傾斜状の底板を有するタンクレールと、
前記タンクレールの底板に前記タンクレールの他端部で接続され、前記タンクレールの他端部を通して遊技球が供給されるものであって上面および下面のそれぞれが開口する筒状のケースと、
前記ケースの内部に前記タンクレールの底板および前記ケース相互間の接続部分より高所に位置して設けられ、前記ケースの内部空間を上下方向に区画する支持部材と、
前記ケースの内部に前記支持部材の上方に位置して設けられ、前記支持部材に取付具を介して着脱可能に取付けられたものであって前記支持部材を貫通して前記支持部材の下方に突出する回転軸を有する払出しモータと、
前記ケースの内部に前記支持部材の下方に位置して設けられ、前記支持部材に前記取付具と同一の取付具または前記取付具と異なる取付具を介して着脱可能に取付けられたベース部材と、
前記支持部材および前記ベース部材相互間に設けられ、前記タンクレールの他端部を通して前記ケースの内部に供給された遊技球が転動することが可能な空間状の転動室を前記支持部材および前記ベース部材相互間に形成するスペーサ部材と、
前記ベース部材に設けられ、前記転動室内に開口する入口および前記ベース部材の外部に開口する出口のそれぞれを有するものであって遊技球を遊技者に賞品球として払出すための球通路と、
前記払出しモータの回転軸に設けられ、前記ベース部材の内部に挿入されたものであって前記払出しモータの運転停止状態で前記球通路内の遊技球を落下不能に支えると共に前記払出しモータの運転状態で前記球通路内の遊技球を前記球通路の出口から放出するスクリューと、
前記ベース部材に設けられ、前記球通路の出口から遊技球が放出されたか否かに応じて電気的な状態が相互に変化する球検出スイッチと、
前記ベース部材に設けられ、前記転動室内に前記球通路の入口より前記タンクレールの他端部側に位置して開口する入口および前記ベース部材の外部に開口する出口のそれぞれを有するものであって前記タンクレール内の遊技球を前記タンクレールの他端部を通して抜取るための球抜き通路と、
前記球抜き通路の入口を遊技球が進入不能に閉鎖する閉鎖位置および遊技球が進入可能に開放する開放位置相互間で移動可能に設けられ、遊技球が前記タンクレールの底板に沿って転動するときに接触するように前記タンクレールの底板の一部を構成するものであって配線を介してアース接続された導電性のアース板を備えたことを特徴とするパチンコ遊技機。
【請求項２】
前記アース板に設けられ、前記タンクレール内の遊技球から脱落した塵埃を前記アース板の下方に排出する複数の排出孔と、
前記タンクレールの底板に設けられ、前記アース板の閉鎖位置および開放位置のそれぞれで前記アース板によって閉鎖されるものであって前記複数の排出孔のそれぞれから排出された塵埃を前記タンクレールの外部に排出するように前記アース板の閉鎖位置および開放位置のそれぞれで前記複数の排出孔のそれぞれに接続される開口部を備えたことを特徴とする請求項１に記載のパチンコ遊技機。
【発明の詳細な説明】
【技術分野】
【０００１】
本発明は遊技者から見て左右方向へ指向するタンクレールを備えたパチンコ遊技機に関する。
【背景技術】
【０００２】
上記パチンコ遊技機にはタンクレール内の遊技球をタンクレールの底板の傾斜に沿って転動させることに基づいてタンクレール内からタンクレール外のスプロケットに供給する構成のものがある。このスプロケットは水平な軸を中心に回転可能にされたものであり、外周面が開口する球受け凹部を有している。このスプロケットには払出しモータの回転軸が連結されており、払出しモータの運転停止状態ではタンクレールから与えられた遊技球がスプロケットの球受け凹部内に落下不能に支持される。この払出しモータはスプロケットを軸を中心に回転操作するものであり、払出しモータの運転状態ではスプロケットが回転することに基づいてスプロケットの球受け凹部内から遊技球が放出され、遊技者に賞品球として払出される。これらスプロケットおよび払出しモータは共通のケース内に収納されたものであり、ケースは接続位置および接続解除位置相互間でスライド操作可能にタンクレールに装着されている。このケースは接続位置でタンクレールに接続されるものであり、遊技球の払出し処理はケースの接続位置で行われる。このケースは接続解除位置でタンクレールから離間するものである。このケースの接続解除位置ではタンクレールおよびケース相互間に球抜き用の開口部が形成され、タンクレール内の遊技球が開口部を通してタンクレール内から抜取られる。
【先行技術文献】
【特許文献】
【０００３】
【特許文献１】特開２００５−２２４３５０号公報
【発明の概要】
【発明が解決しようとする課題】
【０００４】
上記パチンコ遊技機の場合にはケースがタンクレールに接続位置および接続解除位置相互間でスライド可能に装着されているので、ケースのタンクレールに対する接続構造が複雑になる。このため、タンクレールからケースを取外す作業とケースの内部から払出しモータを取出す作業とケースの内部に払出しモータを戻す作業とケースをタンクレールに戻す作業のそれぞれを行い難く、払出しモータのメンテナンスを簡単に行うことができない問題がある。
【０００５】
本発明は上記事情に鑑みてなされたものであり、払出しモータのメンテナンスを簡単に行うことができるパチンコ遊技機を提供することを目的とするものである。
【課題を解決するための手段】
【０００６】
１．請求項１記載のパチンコ遊技機は［１］タンクレール〜［１１］アース板を備えたところに特徴を有している。
［１］タンクレールは遊技者から見て左右方向へ指向するものであり、遊技球を左右方向の一端部から左右方向の他端部に向けて転がす傾斜状の底板を有している。図４の球タンク２５はタンクレールの一例であり、球タンク２５の底板２９はタンクレールの底板に相当する。
［２］ケースはタンクレールの底板にタンクレールの他端部で接続されたものである。このケースはタンクレールの他端部を通して遊技球が供給されるものであり、上面および下面のそれぞれが開口する筒状をなしている。図４の機構部ケース３５はケースの一例である。
［３］支持部材はケースの内部にタンクレールの底板およびケース相互間の接続部分より高所に位置して設けられたものであり、ケースの内部空間を上下方向に区画するものである。図４のモータ受け６４は支持部材の一例である。
［４］払出しモータはケースの内部に支持部材の上方に位置して設けられたものである。この払出しモータは支持部材に取付具を介して着脱可能に取付けられたものであり、支持部材を貫通して支持部材の下方に突出する回転軸を有している。図１２の符合５８は払出しモータの一例であり、図１２の符号５９は払出しモータ５８の回転軸である。この払出しモータ５８は、図１２に示すように、支持部材６４にネジ７２を介して取付けられたものであり、ネジ７２は取付具に相当する。
［５］ベース部材はケースの内部に支持部材の下方に位置して設けられたものであり、支持部材に払出しモータと同一の取付具または払出しモータと異なる取付具を介して着脱可能に取付けられたものである。図８のスクリューベース７３はベース部材の一例であり、払出しモータ５８と同一の取付具７２を介して支持部材６４に取付けられている。
［６］スペーサ部材は支持部材およびベース部材相互間に設けられたものであり、タンクレールの他端部を通してケースの内部に供給された遊技球が転動することが可能な空間状の転動室を支持部材およびベース部材相互間に形成するものである。図７の前スペーサ７８および後スペーサ７９のそれぞれはスペーサ部材の一例であり、図７の符号１１０は支持部材６４およびベース部材７３相互間に設けられた転動室を示している。
［７］球通路はベース部材に設けられたものである。この球通路は転動室内に開口する入口およびベース部材の外部に開口する出口のそれぞれを有するものであり、遊技球を遊技者に賞品球として払出すためのものである。図９の前球通路８０および後球通路８１のそれぞれは球通路に相当するものである。
［８］スクリューは払出しモータの回転軸に設けられたものである。このスクリューはベース部材の内部に挿入されたものであり、払出しモータの運転停止状態で球通路内の遊技球を落下不能に支え、払出しモータの運転状態で球通路内の遊技球を球通路の出口から放出する。図１１の符号６１はスクリューの一例である。
［９］球検出スイッチはベース部材に設けられたものであり、球通路の出口から遊技球が放出されたか否かに応じて電気的な状態が相互に変化するものである。図９の前球検出スイッチ８４および後球検出スイッチ８５のそれぞれは球検出スイッチの一例である。
［１０］球抜き通路はベース部材に設けられたものである。この球抜き通路は転動室内に球通路の入口よりタンクレールの他端部側に位置して開口する入口およびベース部材の外部に開口する出口のそれぞれを有するものであり、タンクレール内の遊技球をタンクレールの他端部を通して抜取るためのものである。図９の前球抜き通路８２および後球抜き通路８３のそれぞれは球抜き通路の一例である。
［１１］アース板は球抜き通路の入口を遊技球が進入不能に閉鎖する閉鎖位置および遊技球が進入可能に開放する開放位置相互間で移動可能に設けられたものである。このアース板は遊技球がタンクレールの底板に沿って転動するときに接触するようにタンクレールの底板の一部を構成するものであり、配線を介してアース接続された導電性のものである。図８のアースプレート４５はアース板の一例であり、アースプレート４５の前進位置は閉鎖位置に相当し、アースプレート４５の後退位置は開放位置に相当する。
２．請求項２記載のパチンコ遊技機は［２１］排出孔〜［２２］開口部を備えたものである。
［２１］排出孔はアース板に設けられたものである。この排出孔はタンクレール内の遊技球から脱落した塵埃をアース板の下方に排出するものであり、アース板には複数の排出孔が設けられている。図７の２個の右排出孔５３と２個の左排出孔５４と２個の右切欠部５５と２個の左切欠部５６のそれぞれは排出孔の一例である。
［２２］開口部はタンクレールの底板に設けられたものである。この開口部はアース板の閉鎖位置および開放位置のそれぞれでアース板によって閉鎖されるものであり、複数の排出孔のそれぞれから排出された塵埃をタンクレールの外部に排出するようにアース板の閉鎖位置および開放位置のそれぞれで複数の排出孔の全てに接続される。図４の符号３６は開口部の一例である。
【発明の効果】
【０００７】
１．請求項１記載のパチンコ遊技機の効果の説明
タンクレールの底板の一部であるアース板をスライド操作することに基づいて球抜き通路を開閉している。このため、ケースをタンクレールに接続位置および接続解除位置相互間でスライド可能に装着する必要がなくなるので、ケースをタンクレールにスライド可能に接続する接続構造が不要になる。従って、払出しモータを「１）払出しモータおよび支持部材のそれぞれからケースの上面を通して取付具を取外す。２）払出しモータをケースの上面から抜取る。３）払出しモータをメンテナンスした後にケースの上面からケースの内部に戻す。４）ケースの上面を通して払出しモータを支持部材に取付具を介して固定する。」の手順でケースに対して簡単に着脱することができるので、払出しモータのメンテナンスが簡単になる。しかも、遊技球が球通路および球抜き通路のそれぞれの上流側でアース板に接触するので、アース板の閉鎖位置では遊技球が球通路内に電荷の除去状態で進入し、アース板の開放位置では遊技球が球抜き通路内に電荷の除去状態で進入する。このため、アース板の閉鎖位置で球検出スイッチの検出領域内に遊技球が帯電状態で進入することがなくなるので、球検出スイッチが遊技球の電荷で誤動作することを防止できる。
２．請求項２記載のパチンコ遊技機の効果の説明
アース板が閉鎖位置および開放位置のいずれに操作されているときであってもアース板の複数の排出孔のそれぞれがタンクレールの開口部を通して外部に接続される。このため、タンクレール内の遊技球を球通路を通して払出す場合およびタンクレール内の遊技球を球抜き通路を通して抜取る場合のそれぞれでタンクレール内の遊技球から脱落した塵埃を複数の排出孔のそれぞれからタンクレールの開口部を通してタンクレールの外部に排出することができる。
【図面の簡単な説明】
【０００８】
【図１】実施例１を示す図（パチンコ遊技機の外観を前方から示す図）
【図２】内枠の外観をタンクユニットの装着状態で示す斜視図
【図３】内枠の外観をタンクユニットの装着状態で示す図（ａはＸａ視図、ｂはＸｂ視図、ｃはＸｃ視図）
【図４】タンクユニットをアースプレートおよび払出しモータの取外し状態で示す図（ａはＸａ視図、ｂはＸｂ視図、ｃはＸｃ線に沿う断面図）
【図５】タンクユニットの外観をアースプレートおよび払出しモータの取外し状態で示す斜視図
【図６】図４のＸ６線に沿う図
【図７】タンクユニットをアースプレートおよび払出しモータの装着状態で示す図（ａはＸａ視図、ｂはＸｂ線に沿う断面図、ｃはＸｃ線に沿う断面図）
【図８】アースプレートと払出しモータとスクリューベースの外観を示す斜視図
【図９】（ａ）はタンクユニットの外観をアースプレートおよび払出しモータの装着状態で下方から示す斜視図、（ｂ）はＸｂ線に沿う断面図
【図１０】タンクユニットの外観をアースプレートおよび払出しモータの装着状態で上方から示す斜視図
【図１１】払出しモータの動作原理を示す図
【図１２】タンクユニットをアースプレートおよび払出しモータの装着状態で示す図（ａはＸａ視図、ｂはＸｂ視図、ｃはＸｃ線に沿う断面図、ｄはＸｄ部を拡大して示す図）
【図１３】球均しベースを示す斜視図
【発明を実施するための形態】
【実施例１】
【０００９】
外枠１は、図１に示すように、複数の木材を前後面が開口する四角筒状に相互に接合することから構成されたものである。この外枠１には、図２に示すように、内枠２が上下方向へ指向する軸３を中心に回動可能に装着されている。この内枠２は外枠１の前面を覆う閉鎖状態および外枠１の前面を開放する開放状態相互間で軸３を中心に回動操作可能にされたものであり、内枠２の下端部には垂直な台板４が形成されている。この内枠２には、図１に示すように、内枠２の前方に位置して前枠５が装着されており、前枠５は内枠２の前面を閉鎖する閉鎖状態および内枠２の前面を開放する開放状態相互間で内枠２と共通の軸３を中心に回動操作可能にされている。この前枠５は円形状の貫通孔６を有するものであり、貫通孔６の内周面には透明な窓７が固定されている。この前枠５には窓７の下方に位置して上皿８が固定されている。この上皿８は上面が開口する容器状をなすものであり、内枠２の台板４には、図２に示すように、上皿８の後方に位置して払出口９が形成されている。この払出口９は遊技球を上皿８内に賞品球として払出すものであり、払出口９から上皿８内に払出された遊技球は上皿８内に貯留される。
【００１０】
内枠２には、図１に示すように、前枠５の下方に位置して横長な長方形状の下皿板１０が固定されており、下皿板１０には下皿１１が固定されている。この下皿１１は上皿８内から溢れた遊技球を貯留するものであり、上面が開口する容器状をなしている。この下皿板１０には下皿１１の右方に位置してハンドル台１２が固定されており、ハンドル台１２には発射ハンドル１３が装着されている。この発射ハンドル１３は前後方向へ指向する軸を中心に回動操作可能にされたものであり、発射ハンドル１３が予め決められた初期位置から図１の時計回り方向へ回動操作されたときには発射ソレノイドに駆動電源が与えられる。この発射ソレノイドの出力軸には打球槌が連結されている。これら発射ソレノイドおよび打球槌のそれぞれは内枠２の台板４に装着されたものであり、発射ソレノイドは駆動電源が与えられることに基づいて打球槌を待機位置および打球位置相互間で往復的に移動操作する。この打球槌は上皿８内から遊技球が１個単位で移送されるものであり、上皿８内から打球槌に移送された遊技球は打球槌が待機位置から打球位置へ移動することに基づいて打球槌によって叩かれる。
【００１１】
内枠２には、図２に示すように、台板４の上方に位置して遊技盤収納部１４が形成されている。この遊技盤収納部１４は前面および後面のそれぞれが開口する角筒状をなすものであり、前枠５の後方に配置されている。この遊技盤収納部１４の内周面には垂直な板状の遊技盤が装着されている。この遊技盤は複数の障害釘が固定されたものであり、前枠５の閉鎖状態で前方から窓７を通して視覚的に認識可能にされている。この遊技盤は打球槌から遊技球が発射されるものであり、打球槌から遊技盤に発射された遊技球は遊技盤の障害釘に当りながら遊技盤に沿って落下する。
【００１２】
遊技盤には複数の入賞口が固定されている。これら複数の入賞口のそれぞれは遊技盤に沿って落下する遊技球が入賞することが可能なものであり、複数の入賞口内のそれぞれには入賞口センサが装着されている。これら複数の入賞口センサのそれぞれは遊技球が入賞口内に入賞したことを検出して入賞信号を出力する近接スイッチからなるものであり、複数の入賞口センサのそれぞれは共通の賞球制御回路に接続されている。この賞球制御回路はマイクロコンピュータを主体に構成されたものであり、入賞信号を検出することに基づいて遊技球が入賞口内に入賞したことを判断する。内枠２には、図２に示すように、内枠２の後方に位置して基板ボックス１５が固定されている。この基板ボックス１５内にはプリント配線基板が収納されており、賞球制御回路は基板ボックス１５内のプリント配線基板に搭載されている。
【００１３】
内枠２には、図３に示すように、内枠２の後方に位置してタンクユニット２０が固定されている。このタンクユニット２０はパチンコホールの球補給装置から供給される遊技球を貯留する貯球機能および遊技球が遊技盤の入賞口に入賞することに基づいて貯留球を上皿８内に賞品球として払出す払出し機能の双方を有するものであり、次のように構成されている。
【００１４】
内枠２には、図３に示すように、遊技盤収納部１４の上方に位置してユニットベース２１が固定されている。このユニットベース２１は非導電性の合成樹脂を材料とするものであり、後方からユニットベース２１を通して内枠２に複数のネジを螺合することに基づいて固定されている。このユニットベース２１には球受けプレート２２が一体形成されている。この球受けプレート２２は、図４に示すように、水平な板状をなすものであり、球補給装置の球補給口の下方に配置されている。この球受けプレート２２は球補給装置の球補給口から落下する遊技球を受けるものであり、球受けプレート２２の左端部には球誘導プレート２３が接続されている。この球誘導プレート２３はユニットベース２１に一体形成されたものであり、左から右に向けて下降する板状をなしている。この球誘導プレート２３は遊技球を左から右に向けて転がすことに基づいて球受けプレート２２に供給するものであり、ユニットベース２１には球誘導プレート２３の左端部に位置して球止め壁２４が一体形成されている。この球止め壁２４は球誘導プレート２３から上方に突出するものであり、遊技球が球誘導プレート２３の左端部から逸脱することを防止する。
【００１５】
ユニットベース２１には、図４に示すように、球タンク２５が一体形成されている。この球タンク２５は遊技球を転がすタンクレールを兼用するものであり、上面および左側面のそれぞれが開口する容器状をなしている。この球タンク２５は前板２６と後板２７と右側板２８と底板２９を有している。この球タンク２５の前板２６には、図５に示すように、球受けプレート２２および球誘導プレート２３の双方の前方に位置して開口部３１が形成されており、球補給装置の球補給口から落下した遊技球は球受けプレート２２または球誘導プレート２３から開口部３１を通して球タンク２５内に供給される。この球タンク２５の底板２９の前後方向の幅寸法Ｗは、図４に示すように、左右方向の全域で遊技球の直径寸法の２倍程度に設定されており、遊技球は球タンク２５の底板２９上に前後方向に２列に貯留される。この球タンク２５の底板２９は右から左に向けて下降する傾斜状をなしており、球タンク２５内の遊技球は前後方向に２列に並んだまま底板２９の傾斜に沿って右から左に向けて転動可能にされている。
【００１６】
球タンク２５の底板２９には、図４に示すように、複数の前排出孔３２と複数の中排出孔３３と複数の後排出孔３４のそれぞれが形成されている。これら複数の前排出孔３２〜複数の後排出孔３４のそれぞれは球タンク２５内の遊技球から脱落した塵埃を球タンク２５の外部に落下させるものであり、複数の前排出孔３２〜複数の後排出孔３４のそれぞれの前後方向の幅寸法は遊技球の直径寸法に比べて小さく設定されている。これら複数の前排出孔３２のそれぞれは球タンク２５の前板２６に接して配置され、複数の後排出孔３４のそれぞれは球タンク２５の後板２７に接して配置され、複数の中排出孔３３のそれぞれは球タンク２５の底板２９の前後方向の中心線ＣＬに沿って配置されており、球タンク２５内の前列の遊技球および後列の遊技球のそれぞれは前排出孔３２内〜後排出孔３４内のいずれにも嵌ることなく底板２９に接触しながら転動する。
【００１７】
球タンク２５の左端部には、図６に示すように、機構部ケース３５が一体形成されている。この機構部ケース３５は上面および下面のそれぞれが開口する垂直な四角筒状をなすものであり、球タンク２５の内部空間は球タンク２５の左側面を介して機構部ケース３５の内部空間に接続されている。この球タンク２５の底板２９には機構部ケース３５側に位置して開口部３６が形成されており、球タンク２５の底板２９は開口部３６の右端面より左方の全領域が開口している。この球タンク２５の底板２９には、図４に示すように、球仕切板３７が一体形成されている。この球仕切板３７は底板２９に対して上方へ突出する垂直な板状をなすものであり、底板２９の中心線ＣＬに沿って配置されている。この球仕切板３７の右端部は底板２９のうち前排出孔３２〜後排出孔３４がいずれも形成されていない非形成部分に設定されており、球仕切板３７の左端部は、図６に示すように、開口部３６内に設定されている。
【００１８】
球仕切板３７の左端部には、図６に示すように、前球仕切板３８および後球仕切板３９が一体形成されている。これら前球仕切板３８および後球仕切板３９のそれぞれは上方へ指向する垂直な板状をなすものであり、前球仕切板３８および後球仕切板３９相互間には隙間が形成されている。これら前球仕切板３８および後球仕切板３９は底板２９の中心線ＣＬを挟んで前後方向に対向配置されたものであり、前球仕切板３８は球仕切板３７より前方に配置され、後球仕切板３９は球仕切板３７より後方に配置されている。これら前球仕切板３８および後球仕切板３９は球仕切板３７の左端部から二股状に分岐するものであり、前球仕切板３８の後端部および後球仕切板３９の後端部相互間は前後方向へ指向する連結壁４０を介して連結されている。
【００１９】
球タンク２５の内部には、図４に示すように、前整列路４１が形成されている。この前整列路４１は球タンク２５の前板２６および球仕切板３７相互間の空間部を称するものであり、前整列路４１の左端部には、図６に示すように、前延長整列路４１ａが接続されている。この前延長整列路４１ａは球タンク２５の前板２６および前球仕切板３８相互間の空間部を称するものであり、前整列路４１より前方に配置されている。これら前整列路４１および前延長整列路４１ａのそれぞれの前後方向の幅寸法は１個の遊技球が転動することが可能な大きさに設定されており、球タンク２５内の遊技球は前整列路４１内および前延長整列路４１ａ内のそれぞれを前後方向に一列で転動する。
【００２０】
球タンク２５の内部には、図４に示すように、前整列路４１に対して平行な後整列路４２が形成されている。この後整列路４２は球タンク２５の後板２７および球仕切板３７相互間の空間部を称するものであり、後整列路４２の左端部には、図６に示すように、後延長整列路４２ａが接続されている。この後延長整列路４２ａは球タンク２５の後板２７および後球仕切板３９相互間の空間部を称するものであり、後整列路４２より後方に配置されている。これら後整列路４２および後延長整列路４２ａのそれぞれの前後方向の幅寸法は１個の遊技球が転動することが可能な大きさに設定されており、球タンク２５内の遊技球は後整列路４２内および後延長整列路４２ａ内のそれぞれを前後方向に一列で転動する。
【００２１】
球タンク２５の底板２９には、図６に示すように、開口部３６の前方に位置して前ガイド部４３が一体形成され、開口部３６の後方に位置して後ガイド部４４が一体形成されている。これら前ガイド部４３および後ガイド部４４のそれぞれは左右方向へ指向する直線状をなすものであり、球タンク２５の底板２９に対して下方へ突出している。これら前ガイド部４３および後ガイド部４４相互間には、図７に示すように、下方からアースプレート４５が挿入されている。このアースプレート４５は導電性の金属板からなるものであり、アースプレート４５の左右方向の中央部には、図８に示すように、幅広部４６が形成されている。この幅広部４６はアースプレート４５の残りの部分に比べて前後方向の幅寸法が大きく設定された部分を称するものであり、アースプレート４５は幅広部４６が前ガイド部４３および後ガイド部４４のそれぞれに接触することに基づいて左右方向へ一定の直線的な軌跡でスライド可能にされている。
【００２２】
アースプレート４５には、図８に示すように、底板２９の中心線ＣＬ上に位置して右ガイド孔４７が形成されている。この右ガイド孔４７は左右方向へ指向する長孔からなるものであり、右ガイド孔４７は、図９に示すように、右ボス部４８の外周面に嵌合されている。この右ボス部４８は球タンク２５の底板２９に一体形成されたものであり、底板２９から下方に突出する円筒状をなしている。この左ボス部５０の内周面には下方からネジが螺合されており、ネジの頭部はアースプレート４５を下方から支持することに基づいてアースプレート４５が前ガイド部４３および後ガイド部４４相互間から脱落することを防止している。
【００２３】
アースプレート４５には、図８に示すように、底板２９の中心線ＣＬ上に位置して左ガイド孔４９が形成されている。この左ガイド孔４９は左右方向へ指向する長孔からなるものであり、左ガイド孔４９は左ボス部５０の外周面に嵌合されている。この左ボス部５０は、図６に示すように、球タンク２５の底板２９に対して下方に突出する円筒状をなすものであり、球仕切板３７と前球仕切板３８と後球仕切板３９相互間に配置されている。この左ボス部５０は球仕切板３７と前球仕切板３８と後球仕切板３９のそれぞれに一体形成されたものであり、球仕切板３７と前球仕切板３８と後球仕切板３９によって囲まれることに基づいて補強されている。
【００２４】
アースプレート４５には、図９に示すように、幅広部４６に位置してストッパ５１が一体形成されており、ストッパ５１は凹部５２を通して球タンク２５の後ガイド部４４から後方へ突出している。この凹部５２は後ガイド部４４に形成されたものであり、アースプレート４５はストッパ５１が凹部５２の左端面に接触した前進位置およびストッパ５１が凹部５２の右端面に接触した後退位置相互間で左右方向へスライド可能にされている。このストッパ５１にはアース線が接続されており、アース線はパチンコホールの島設備を介してアース接続されている。
【００２５】
アースプレート４５には、図８に示すように、幅広部４６に位置して２個の右排出孔５３および２個の左排出孔５４のそれぞれが形成されている。これら２個の右排出孔５３および２個の左排出孔５４のそれぞれは遊技球から脱落した塵埃を球タンク２５の外部に落下させるものであり、２個の右排出孔５３および２個の左排出孔５４のそれぞれはアースプレート４５が前進位置および後退位置のいずれに操作されているときであっても開口部３６を介して球タンク２５の外部に接続される。これら２個の右排出孔５３および２個の左排出孔５４のそれぞれの前後方向の幅寸法は遊技球の直径寸法に比べて小さく設定されている。これら２個の右排出孔５３のそれぞれは、図７に示すように、球仕切板３７に接するように球仕切板３７を挟んで前後方向に対向配置され、２個の左排出孔５４のそれぞれは球仕切板３７に接するように球仕切板３７を挟んで前後方向に対向配置されており、遊技球は前整列路４１内を右排出孔５３および左排出孔５４のそれぞれに嵌ることなくアースプレート４５に接触しながら転動し、後整列路４２内を右排出孔５３および左排出孔５４のそれぞれに嵌ることなくアースプレート４５に接触しながら転動する。
【００２６】
アースプレート４５には、図９に示すように、幅広部４６の右方に位置して２個の右切欠部５５が形成され、幅広部４６の左方に位置して２個の左切欠部５６が形成されている。これら２個の右切欠部５５および２個の左切欠部５６のそれぞれは遊技球から脱落した塵埃を球タンク２５の外部に落下させるものであり、２個の右切欠部５５および２個の左切欠部５６のそれぞれはアースプレート４５が前進位置および後退位置のいずれに操作されているときであっても開口部３６を介して球タンク２５の外部に接続される。これら２個の右切欠部５５および２個の左切欠部５６のそれぞれの前後方向の幅寸法は遊技球の直径寸法に比べて小さく設定されており、遊技球は前整列路４１内を右切欠部５５に嵌ることなくアースプレート４５に接触しながら転動し、前延長整列路４１ａ内を左切欠部５６に嵌ることなくアースプレート４５に接触しながら転動し、後整列路４２内を右欠部５５に嵌ることなくアースプレート４５に接触しながら転動し、後延長整列路４２ａ内を左切欠部５６に嵌ることなくアースプレート４５に接触しながら転動する。
【００２７】
アースプレート４５のストッパ５１には、図９に示すように、非導電性の合成樹脂を材料とする操作子５７が固定されている。この操作子５７は後ガイド部４４から後方へ突出するものであり、アースプレート４５はパチンコホールの店員が操作子５７を操作することに基づいて前進位置および後退位置相互間でスライド操作され、底板２９の開口部３６を前進位置および後退位置のそれぞれで遊技球が転動可能に閉鎖する。即ち、球タンク２５内の遊技球はアースプレート４５が前進位置および後退位置のいずれに操作されているときであっても前整列路４１内と前延長整列路４１ａ内と後整列路４２内と後延長整列路４２ａ内のそれぞれを転動することに基づいてアースプレート４５に接触するものであり、遊技球はアースプレート４５に接触することに基づいて電荷がアース線を通して放出される。
【００２８】
機構部ケース３５の内部には、図１０に示すように、払出しモータ５８が収納されている。この払出しモータ５８はステッピングモータからなるものであり、機構部ケース３５の上面を通して機構部ケース３５内に収納されている。この払出しモータ５８は、図１１に示すように、上下方向へ指向する回転軸５９を有するものであり、払出しモータ５８の外周面には２個の取付片６０が固定されている。この払出しモータ５８の回転軸５９の外周面にはスクリュー６１が固定されている。このスクリュー６１は回転軸５９と同心な円柱状をなすものであり、螺旋状の球送り６２を有している。この球送り６２は始端部および終端部が上下方向に相互に離間するものであり、球送り６２の始端部および球送り６２の終端部相互間には１個の遊技球を排出することが可能な大きさの排出口６３が形成されている。
【００２９】
機構部ケース３５の内部には、図４に示すように、モータ受け６４が固定されている。このモータ受け６４は機構部ケース３５の内部空間を上下方向に区画する水平な板状をなすものであり、球タンク２５の底板２９および機構部ケース３５相互間の接続部分より高所に配置されている。このモータ受け６４は非導電性の合成樹脂を材料とするものであり、モータ受け６４には２個の貫通孔６５が形成されている。このモータ受け６４は払出しモータ５８を下方から支持するものであり、モータ受け６４には左側面が開口する切欠状のスクリュー挿入口６６が形成されている。このスクリュー挿入口６６の前後方向の幅寸法はスクリュー６１のうち球送り６２の直径寸法に比べて大きく設定されており、払出しモータ５８のスクリュー６１は上方からスクリュー挿入口６６を通してモータ受け６４の下方に挿入されている。
【００３０】
機構部ケース３５には、図１２に示すように、上方から機構部カバー６７が被せられており、機構部ケース３５の上面は機構部カバー６７によって塞がれている。この機構部カバー６７は非導電性の合成樹脂を材料とするものであり、機構部カバー６７にはモータカバー６８が一体形成されている。このモータカバー６８はモータ受け６４に接触する円筒状をなすものであり、払出しモータ５８はモータカバー６８の内部の断熱空間部に収納されている。機構部カバー６７にはモータカバー６８の天井部に位置して複数の放熱孔６９が形成されており、払出しモータ５８で発生した熱は複数の放熱孔６９のそれぞれを通して機構部ケース３５の外部に放出される。この機構部カバー６７の天井板には２個の貫通孔７０が形成されており、モータカバー６８の外周面には両貫通孔７０のそれぞれの下方に位置して取付片７１が一体形成されている。これら両取付片７１のそれぞれには上方から機構部カバー６７の貫通孔７０を通してネジ７２が挿入されており、両ネジ７２のそれぞれは払出しモータ５８の取付片６０を通してモータ受け６４の貫通孔６５内に挿入されている。
【００３１】
機構部ケース３５の内部には、図９に示すように、下方からスクリューベース７３が挿入されている。このスクリューベース７３は非導電性の合成樹脂を材料とするものであり、スクリューベース７３には２個のネジ孔が形成されている。これら両ネジ孔のそれぞれの内周面には上方からネジ７２が螺合されており、スクリューベース７３は両ネジ７２によってモータ受け６４に固定されている。即ち、払出しモータ５８と機構部カバー６７とスクリューベース７３のそれぞれは共通のネジ７２を介してモータ受け６４に着脱可能に固定されたものであり、払出しモータ５８および機構部カバー６７のそれぞれは機構部カバー６７の両貫通孔７０内のそれぞれに上方から工具を挿入して両ネジ７２のそれぞれを取外すことに基づいてモータ受け６４から取外される。機構部ケース３５の左側板には、図１０に示すように、上面が開口する抜取り口７４が形成されており、払出しモータ５８は２本のネジ７２を取外した後に抜取り口７４から手指を挿入することに基づいて機構部ケース３５の上面を通して機構部ケース３５の外部に抜取られる。
【００３２】
スクリューベース７３には、図９に示すように、水平な板状の取付片７５が一体形成されており、取付片７５には位置決め部７６が一体形成されている。この位置決め部７６は底板を有する円筒状をなすものであり、位置決め部７６の内周面には上方から球タンク２５の左ボス部５０の外周面が接触状態で嵌合されている。この位置決め部７６の底板には貫通孔が形成されており、球タンク２５の左ボス部５０の内周面には下方から位置決め部７６の貫通孔を通してネジ７７が螺合されている。即ち、スクリューベース７３はアースプレート４５と共に球タンク２５の左ボス部５０にネジ７７を介して着脱可能に取付けられており、モータ受け６４の２本のネジ７２および左ボス部５０の１本のネジ７７の全てを取外すことに基づいて球タンク２５およびモータ受け６４の双方から取外される。
【００３３】
モータ受け６４には、図６に示すように、前スペーサ７８および後スペーサ７９のそれぞれが一体形成されている。これら前スペーサ７８および後スペーサ７９のそれぞれは上下方向へ指向する板状をなすものであり、前後方向に相互に離間して配置されている。これら前スペーサ７８および後スペーサ７９のそれぞれの下面にはスクリューベース７３が両ネジ７２の締結力で接触しており、モータ受け６４およびスクリューベース７３相互間には、図７に示すように、前スペーサ７８および後スペーサ７９のそれぞれの高さ寸法に相当する空間状の転動室１１０が形成されている。この転動室１１０は前延長整列路４１ａを介して前整列路４１の左端部に接続され、後延長整列路４２ａを介して後整列路４２の左端部に接続されたものであり、前整列路４１内の遊技球はアースプレート４５が前進位置および後退位置のいずれに操作されているときであっても前延長整列路４１ａに沿って転動室１１０内に１列で転動可能にされ、後整列路４２内の遊技球はアースプレート４５が前進位置および後退位置のいずれに操作されているときであっても後延長整列路４２ａに沿って転動室１１０内に１列で転動可能にされている。
【００３４】
スクリューベース７３には、図９に示すように、前球通路８０および後球通路８１のそれぞれが形成されている。これら前球通路８０および後球通路８１のそれぞれは遊技球が一列に通過することが可能な大きさを有するものであり、前球通路８０の出口および後球通路８１の出口のそれぞれはスクリューベース７３の下面を介して外部に開口している。これら前球通路８０の入口および後球通路８１の入口のそれぞれはスクリューベース７３の上面を介して転動室１１０内に開口するものであり、前整列路４１内の遊技球は前延長整列路４１ａに沿って前球通路８０の入口に一列で進入し、後整列路４２内の遊技球は後延長整列路４２ａに沿って後球通路８１の入口に一列で進入する。
【００３５】
払出しモータ５８のスクリュー６１は、図１１に示すように、スクリューベース７３の内部に上方から挿入されたものであり、前球通路８０内および後球通路８１内のそれぞれに突出している。このスクリュー６１の球送り６２は払出しモータ５８の運転停止状態で前球通路８０内の遊技球および後球通路８１内の遊技球のそれぞれを下方から落下不能に支えものであり、払出しモータ５８の運転状態では排出口６３が前球通路８０内に移動する毎に前球通路８０内の遊技球が前球通路８０の出口から１個単位で放出され、排出口６３が後球通路８１内に移動する毎に後球通路８１内の遊技球が後球通路８１の出口から１個単位で放出される。この払出しモータ５８は賞球制御回路に接続されたものであり、賞球制御回路は入賞信号を検出することに基づいて払出しモータ５８を駆動制御して前球通路８０内および後球通路８１内から遊技球を交互に１個ずつ放出する。
【００３６】
払出しケース７３には、図９に示すように、前球抜き通路８２が形成されている。この前球抜き通路８２は遊技球が一列に通過することが可能な大きさを有するものであり、前球抜き通路８２の出口はスクリューベース７３の下面を介して外部に開口している。この前球抜き通路８２の入口は前延長整列路４１ａの出口および前球通路８０の入口相互間で転動室１１０内に開口しており、アースプレート４５は前進位置に操作されることに基づいて前球抜き通路８２の入口を遊技球が進入不能に閉鎖する。このアースプレート４５は後退位置に操作されることに基づいて前球抜き通路８２の入口を遊技球が進入可能に開放するものであり、前球抜き通路８２の開放状態では前整列路４１内の遊技球が前延長整列路４１ａに沿って前球抜き通路８２の入口に一列で進入し、前球抜き通路８２の出口からスクリューベース７３の外部に一列で排出される。
【００３７】
払出しケース７３には、図９に示すように、後球抜き通路８３が形成されている。この後球抜き通路８３は遊技球が一列に通過することが可能な大きさを有するものであり、後球抜き通路８３の出口はスクリューベース７３の下面を介して外部に開口している。この後球抜き通路８３の入口は後延長整列路４２ａの出口および後球通路８１の入口相互間で転動室１１０内に開口しており、アースプレート４５は前進位置に操作されることに基づいて後球抜き通路８３の入口を遊技球が進入不能に閉鎖する。このアースプレート４５は後退位置に操作されることに基づいて後球抜き通路８３の入口を遊技球が進入可能に開放するものであり、後球抜き通路８３の開放状態では後整列路４２内の遊技球が後延長整列路４２ａに沿って後球抜き通路８３の入口に一列で進入し、後球抜き通路８３の出口からスクリューベース７３の外部に一列で排出される。
【００３８】
前球抜き通路８２および後球抜き通路８３のそれぞれは球タンク２５内から遊技球を抜取るためのものであり、アースプレート４５が前進位置から後退位置に操作されたときには球タンク２５内の遊技球が前整列路４１から前球抜き通路８２を通して機構部ケース３５の外部に抜取られ、後整列路４２から後球抜き通路８３を通して機構部ケース３５の外部に抜取られる。このアースプレート４５を用いた球抜きは例えばパチンコホールの営業時間が終了するときに行われるものであり、アースプレート４５は球抜きを行う場合以外の通常時には前進位置に操作され、前球抜き通路８２および後球抜き通路８３のそれぞれはアースプレート４５によって閉鎖されている。
【００３９】
スクリューベース７３には、図９に示すように、前球検出スイッチ８４および後球検出スイッチ８５のそれぞれが固定されている。これら前球検出スイッチ８４および後球検出スイッチ８５のそれぞれは反射形のフォトセンサからなるものであり、発光ダイオードおよびフォトトランジスタを有している。前球検出スイッチ８４の発光ダイオードは前球通路８０の出口の下方に向けて赤外線を水平に投射するものであり、前球通路８０の出口から遊技球が落下したときには前球検出スイッチ８４の発光ダイオードから遊技球に赤外線が照射される。この赤外線は遊技球によって反射されることに基づいて前球検出スイッチ８４のフォトトランジスタに入射し、前球検出スイッチ８４は赤外線が自身のフォトトランジスタに入射することに基づいて前球検出信号を出力する。
【００４０】
後球検出スイッチ８５の発光ダイオードは後球通路８１の出口の下方に向けて赤外線を水平に投射するものであり、後球通路８１の出口から遊技球が落下したときには後球検出スイッチ８５の発光ダイオードから遊技球に赤外線が照射される。この赤外線は遊技球によって反射されることに基づいて後球検出スイッチ８５のフォトトランジスタに入射し、後球検出スイッチ８５は赤外線が自身のフォトトランジスタに入射することに基づいて後球検出信号を出力する。これら前球検出スイッチ８４および後球検出スイッチ８５のそれぞれは賞球制御回路に接続されており、賞球制御回路は前球通路８０の出口から遊技球が放出されたか否かを前球検出信号の有無に基づいて判断し、後球通路８１の出口から遊技球が放出されたか否かを後球検出信号の有無に基づいて判断する。
【００４１】
ユニットベース２１には、図４に示すように、球タンク２５の前板２６の前方に位置して仕切板８６が一体形成されており、仕切板８６および前板２６相互間にはベース収納部８７が形成されている。このベース収納部８７は上面が開口する空間状をなすものであり、ベース収納部８７内には、図１０に示すように、上方から球均しベース８８が着脱可能に挿入されている。この球均しベース８８には、図１３に示すように、右軸８９が固定されており、右軸８９は、図１０に示すように、切欠状の右軸受部９０を通して球タンク２５内に挿入されている。この右軸受部９０は球タンク２５の前板２６に形成されたものであり、右軸８９には、図１３に示すように、前球均し部材９１の上端部および後球均し部材９２の上端部のそれぞれが回転可能に装着されている。これら前球均し部材９１および後球均し部材９２は隙間を挟んで前後方向に相互に対向するものであり、前球均し部材９１は前整列路４１内に挿入され、後球均し部材９２は後整列路４２内に挿入されている。これら前球均し部材９１および後球均し部材９２のそれぞれは右軸８９と反対側の端部に重心位置が設定されたものである。これら前球均し部材９１および後球均し部材９２のそれぞれは垂直な自然状態に自重でコントロールされるものであり、前球均し部材９１の自然状態では前球均し部材９１および球タンク２５の底板２９相互間に１個の遊技球が通過可能な隙間が形成され、後球均し部材９２の自然状態では後球均し部材９２および球タンク２５の底板２９相互間に１個の遊技球が通過可能な隙間が形成される。
【００４２】
球均しベース８８には、図１３に示すように、右軸８９の左方に位置して左軸９３が固定されており、左軸９３は、図１０に示すように、切欠状の左軸受部９４を通して球タンク２５内に挿入されている。この左軸受部９４は球タンク２５の前板２６に形成されたものであり、左軸９３には、図１３に示すように、前重り部材９５の上端部および後重り部材９６の上端部のそれぞれが回転可能に装着されている。これら前重り部材９５および後重り部材９６は隙間を挟んで前後方向に相互に対向するものであり、前重り部材９５は前整列路４１内に前球均し部材９１の左方に位置して挿入され、後重り部材９６は後整列路４２内に後球均し部材９２の左方に位置して挿入されている。これら前重り部材９５および後重り部材９６のそれぞれは左軸９３と反対側の端部に重心位置が設定されたものである。これら前重り部材９５および後重り部材９６のそれぞれは垂直な自然状態に自重でコントロールされるものであり、前重り部材９５の自然状態では前重り部材９５および球タンク２５の底板２９相互間に前球均し部材９１および底板２９相互間の隙間より高さ寸法が大きな隙間が形成され、後重り部材９６の自然状態では後重り部材９６および球タンク２５の底板２９相互間に後球均し部材９２および底板２９相互間の隙間より高さ寸法が大きな隙間が形成される。
【００４３】
前球均し部材９１は前整列路４１内の遊技球に荷重を加えるものであり、前整列路４１内の遊技球が上下方向にＮ段（例えばＮ＝３）以下に重なって前球均し部材９１の下方を通過しようとしたときには前球均し部材９１が遊技球によって押圧されることに基づいて図１３の矢印方向へ単独で回動し、前球均し部材９１から前整列路４１内の遊技球に荷重が作用し、前整列路４１内の遊技球が前球均し部材９１からの荷重で上下方向に１段に均される。後球均し部材９２は後整列路４２内の遊技球に荷重を加えるものであり、後整列路４２内の遊技球が上下方向にＮ段以下に重なって後球均し部材９２の下方を通過しようとしたときには後球均し部材９２が遊技球によって押圧されることに基づいて図１３の矢印方向へ単独で回動し、後球均し部材９２から後整列路４２内の遊技球に荷重が作用し、後整列路４２内の遊技球が後球均し部材９２からの荷重で上下方向に１段に均される。
【００４４】
前重り部材９５は前球均し部材９１に荷重を加えるものであり、前整列路４１内の遊技球が上下方向に「Ｎ＋１」段以上に重なって前球均し部材９１の下方を通過しようとしたときには前球均し部材９１が遊技球によって押圧されることに基づいて図１３の矢印方向へ回動し、前重り部材９５が前球均し部材９１によって押圧されることに基づいて図１３の矢印方向へ回動する。この状態では前球均し部材９１が単独で回動している場合に比べて大きな荷重が前球均し部材９１および前重り部材９５の双方から前整列路４１内の遊技球に作用するので、前整列路４１内の遊技球が前球均し部材９１および前重り部材９５の双方からの荷重で上下方向に１段に均される。
【００４５】
後重り部材９６は後球均し部材９２に荷重を加えるものであり、後整列路４２内の遊技球が上下方向に「Ｎ＋１」段以上に重なって後球均し部材９２の下方を通過しようとしたときには後球均し部材９２が遊技球によって押圧されることに基づいて図１３の矢印方向へ回動し、後重り部材９６が後球均し部材９２によって押圧されることに基づいて図１３の矢印方向へ回動する。この状態では後球均し部材９２が単独で回動している場合に比べて大きな荷重が後球均し部材９２および後重り部材９６の双方から後整列路４２内の遊技球に作用するので、後整列路４２内の遊技球が後球均し部材９２および後重り部材９６の双方からの荷重で上下方向に１段に均される。
【００４６】
モータ受け６４には、図４に示すように、タンクカバー９７が一体形成されており、タンクカバー９７は球タンク２５の左側面を通して球タンク２５内に挿入されている。このタンクカバー９７の前後方向の中央部には溝部９８が形成されており、球タンク２５の球仕切板３７の左端部はタンクカバー９７の溝部９８内に挿入されている。このタンクカバー９７の右端部は、図１０に示すように、前重り部材９５および後重り部材９６のそれぞれの下方まで延びており、球タンク２５の前球仕切板３８および後球仕切板３９のそれぞれはタンクカバー９７の下方に配置されている。このタンクカバー９７は前整列路４１内の遊技球が前重り部材９５に接触することを防止し、後整列路４２内の遊技球が後重り部材９６に接触することを防止するものであり、タンクカバー９７および球タンク２５の底板２９相互間には遊技球が上下方向に一段で通過することが可能な大きさの隙間が形成されている。
【００４７】
球タンク２５には、図４に示すように、タンクカバー９７の上方に位置して球止め挿入室９９が形成されている。この球止め挿入室９９は前板と後板と左側板と右側板のそれぞれで囲まれた空間部を称するものであり、球止め挿入室９９内には、図１２に示すように、非導電性の合成樹脂を材料とする球止め部材１００が挿入されている。この球止め部材１００は上下方向へ指向する板状をなすものであり、図６に示すように、前球止め部１０１および後球止め部１０２を有している。これら前球止め部１０１および後球止め部１０２は前後方向に隙間を介して対向するものであり、レールカバー９７には前球止め部１０１および後球止め部１０２の双方の下方に位置して開口部が形成されている。
【００４８】
球止め部材１００は初期位置および球止め位置相互間で上下方向へスライド可能にされたものであり、球止め部材１００の上端部には、図１２に示すように、球止め部材１００を初期位置および球止め位置相互間で操作するための操作部１０３が一体形成されているこの球止め部材１００の初期位置は前球止め部１０１および後球止め部１０２のそれぞれがタンクカバー９７の上方に退避した位置であり、球止め部材１００は球止め挿入室９９の壁面に対する接触抵抗で初期位置に保持される。この球止め部材１００の初期位置では前整列路４１内の遊技球が前延長整列路４１ａから機構部ケース３５の転動室１１０内に進入することが許容され、後整列路４２内の遊技球が後延長整列路４２ａから機構部ケース３５の転動室１１０内に進入することが許容される。
【００４９】
球止め部材１００の球止め位置は前球止め部１０１がレールカバー９７の開口部を通して前延長整列路４１ａ内に進入し、後球止め部１０２がレールカバー９７の開口部を通して後延長整列路４２ａ内に進入した位置である。この球止め部材１００は操作部１０３が球止め挿入室９９の上端面に接触することに基づいて球止め位置に保持されるものであり、球止め部材１００の球止め位置では球タンク２５の前球仕切板３８および後球仕切板３９のそれぞれが前球止め部１０１および後球止め部１０２相互間の隙間に挿入される。この球止め部材１００の球止め位置では前延長整列路４１ａ内の遊技球が前球止め部１０１に接触することに基づいて機構部ケース３５の転動室１１０内に進入することが禁止され、後延長整列路４２ａ内の遊技球が後球止め部１０２に接触することに基づいて機構部ケース３５の転動室１１０内に進入することが禁止される。
【００５０】
球止め部材１００は払出しモータ５８およびスクリューベース７３のそれぞれをメンテナンスするときに操作されるものである。即ち、払出しモータ５８およびスクリューベース７３のそれぞれをメンテナンスするときには球止め部材１００の操作部１０３を下方へ押込み操作することに基づいて球止め部材１００を初期位置から球止め位置にスライドさせる。この球止め部材１００の球止め位置では前整列路４１内の遊技球および後整列路４２内の遊技球のそれぞれが機構部ケース３５の転動室１１０内に転がり込むことが禁止されるので、前整列路４１内および後整列路４２内のそれぞれから遊技球を抜取ることなく払出しモータ５８およびスクリューベース７３のそれぞれのメンテナンスを行うことができる。タンクユニット２０は以上のように構成されている。
【００５１】
内枠２には、図３に示すように、機構部ケース３５の下方に位置して払出しケース１０４が固定されている。この払出しケース１０４は後方から払出しケース１０４を通して内枠２に複数のネジを螺合することに基づいて内枠２に固定されたものであり、内枠２から複数のネジのそれぞれを取外すことに基づいて内枠２から取外される。この払出しケース１０４の内部には払出し通路が形成されている。この払出し通路の上端部はスクリューベース７３の前球通路８０および後球通路８１のそれぞれの出口に接続されており、払出しモータ５８が前球通路８０内から放出した遊技球および後球通路８１内から放出した遊技球のそれぞれは払出し通路内に進入する。この払出し通路の下端部は上皿８の払出口９に接続されており、払出し通路内に進入した遊技球は払出口９から上皿８内に賞品球として払出される。
【００５２】
払出しケース１０４の内部には球抜き通路が形成されている。この球抜き通路の上端部はスクリューベース７３の前球抜き通路８２および後球抜き通路８３のそれぞれの出口に接続されており、アースプレート４５が前進位置から後退位置に操作されることに基づいて球タンク２５内からスクリューベース７３の前球抜き通路８２内および後球抜き通路８３内のそれぞれに進入した遊技球は払出しケース１０４の球抜き通路内に進入する。この球抜き通路の下端部は払出しケース１０４の下面で外部に開口しており、球抜き通路内に進入した遊技球は球抜き通路の出口を通して外部に抜取られる。
【００５３】
上記実施例１によれば次の効果を奏する。
球タンク２５の底板２９の一部であるアースプレート４５をスライド操作することに基づいて前球抜き通路８２および後球抜き通路８３のそれぞれを開閉したので、機構部ケース３５を球タンク２５に対してスライドさせることに基づいて前球抜き通路８２および後球抜き通路８３のそれぞれを開閉する複雑な構造が不要になる。このため、払出しモータ５８を機構部ケース３５に対して簡単に着脱することができるので、払出しモータ５８のメンテナンスが簡単になる。この払出しモータ５８およびスクリューベース７３のそれぞれのメンテナンス手順は次の通りである。
１）球止め部材１００の操作部１０３を押圧し、球止め部材１００を初期位置から球止め位置にスライド操作することに基づいて遊技球が前整列路４１内および後整列路４２内のそれぞれから機構部ケース３５の転動室１１０内に転動することを禁止する。
２）上方から機構部カバー６７の両貫通孔７０のそれぞれを通して機構部ケース３５内に工具を挿入する。この工具を用いて両ネジ７２のそれぞれを取外し、払出しモータ５８と機構部カバー６７とスクリューベース７３のそれぞれをモータ受け６４から取外す。
３）機構カバー６７を機構部ケース３５から取外し、機構部ケース３５の上面を開放する。この機構部ケース３５の上面の開放状態で抜取り口７４内に手指を挿入し、機構部ケース３５内の払出しモータ５８を手指で摘まんで機構部ケース３５の上面から抜取る。
４）内枠２から複数のネジのそれぞれを取外し、払出しケース１０４を内枠２から取外すことに基づいて機構部ケース３５の下面を開放する。
５）球タンク２５の左ボス部５０からネジ７７を取外し、スクリューベース７３を球タンク２５から取外す。このネジ７７の取外し状態でスクリューベース７３を機構部ケース３５の下面から抜取る。
６）払出しモータ５８およびスクリューベース７３のそれぞれをメンテナンスし、払出しモータ５８を機構部ケース３５の上面から機構部ケース３５の内部に戻し、スクリューベース７３を機構部ケース３５の下面から機構部ケース３５内に戻す。
７）機構部ケース３５の上面に機構部カバー６７を被せる。この機構部カバー６７の両貫通孔７０のそれぞれを通して機構部ケース３５内に工具を挿入し、機構部カバー６７の両取付片７１から払出しモータ５８の取付片６０およびモータ受け６４の貫通孔６５のそれぞれを通してスクリューベース７３にネジ７２を螺合し、機構部カバー６７と払出しモータ５８とスクリューベース７３のそれぞれをモータ受け６４に固定する。
８）スクリューベース７３の取付片７５を通して球タンク２５の左ボス部５０にネジ７７を螺合し、スクリューベース７３を球タンク２５に固定する。
９）払出しケース１０４を通して内枠２に複数のネジのそれぞれを螺合し、払出しケース１０４を内枠２に固定する。
【００５４】
球タンク２５の底板２９の一部をアースプレート４５から構成した。このため、遊技球が前球通路８０と後球通路８１と前球抜き通路８２と後球抜き通路８３のそれぞれの上流側でアースプレート４５に接触するので、アースプレート４５の前進位置では遊技球が前球通路８０内および後球通路８１内のそれぞれに電荷の除去状態で進入し、アースプレート４５の後退位置では遊技球が前球抜き通路８２内および後球抜通路８３内のそれぞれに電荷の除去状態で進入する。従って、アースプレート４５の前進位置で前球検出スイッチ８４および後球検出スイッチ８５のそれぞれの検出領域内に遊技球が帯電状態で進入することがなくなるので、前球検出スイッチ８４および後球検出スイッチ８５のそれぞれが遊技球の電荷で誤動作することを防止できる。
【００５５】
アースプレート４５が前進位置および後退位置のいずれに操作されているときであってもアースプレート４５の２個の左排出孔５３と２個の右排出孔５４と２個の左切欠部５５と２個の右切欠部５６のそれぞれを球タンク２５の開口部３６を介して外部に接続した。このため、球タンク２５内の遊技球を前球通路８０および後球通路８１のそれぞれを通して払出す場合および球タンク２５内の遊技球を前球抜き通路８２および後球抜き通路８３のそれぞれを通して抜取る場合のそれぞれで球タンク２５内の遊技球から脱落した塵埃を２個の左排出孔５３〜２個の右切欠部５６のそれぞれから開口部３６を通して球タンク２５の外部に排出することができる。
【００５６】
球仕切板３７の下流側の左端部から前球仕切板３８および後球仕切板３９のそれぞれを二股状に分岐させ、左ボス部５０を球仕切板３７と前球仕切板３８と後球仕切板３９相互間に配置することで球仕切板３７と前球仕切板３８と後球仕切板３９のそれぞれに接続したので、左ボス部５０が球仕切板３７と前球仕切板３８と後球仕切板３９の３部材よって補強される。このため、作業者が払出しモータ５８のメンテナスを行うときに作業者の体の一部から左ボス部５０に衝撃力が作用した場合に左ボス部５０が衝撃力で破損し難くなるので、スクリューベース７３が球タンク２５から脱落することを防止できる。しかも、取付片７５を機構部ケース３５の外部に突出させた。このため、スクリューベース７３を左ボス部５０に取付ける取付箇所を視覚的に認識し易くなるので、取付片７５を迷うことなく左ボス部５０にネジ７７で固定することができる。
【００５７】
アースプレート４５に幅広部４６を形成し、アースプレート４５を幅広部４６で球タンク２５の前ガイド部４３および後ガイド部４４のそれぞれに接触させた。このため、アースプレート４５のうち幅広部４６の残り部分を利用して右切欠部５５および左切欠部５６のそれぞれを形成することができるので、遊技球から脱落した塵埃を幅広部４６の残り部分から落下させることができる。しかも、アースプレート４５の前端面の全体を球タンク２５の前ガイド部４３に接触させ、アースプレート４５の後端面の全体を球タンク２５の後ガイド部４４に接触させる場合に比べてアースプレート４５の球タンク２５に対する接触抵抗が小さくなるので、作業者がアースプレート４５を小さな操作力でスライド操作することができる。しかも、球タンク２５の前ガイド部４３および後ガイド部４４相互間にアースプレート４５の幅広部４６が接触状態で介在されるので、球タンク２５の前板２６および後板２７のそれぞれが相互に接近する方向へ撓むことを防止できる。
【００５８】
アースプレート４５に長孔状の右ガイド孔４７および長孔状の左ガイド孔４９のそれぞれを形成し、右ガイド孔４７の内面に球タンク２５の右ボス部４８を嵌合し、左ガイド孔４９の内面に球タンク２５の左ボス部５０を嵌合することに基づいてアースプレート４５を球タンク２５にスライド可能に装着した。このため、右ガイド孔４７のうち右ボス部４８の残余部分が開口し、左ガイド孔４９のうち左ボス部５０の残余部分が開口するので、遊技球から脱落した塵埃を右ガイド孔４７の残余部分および左ガイド孔４９の残余部分のそれぞれを通して落下させることができる。
【００５９】
上記実施例１においては、アースプレート４５および機構部ケース３５相互間にばね部材を介在し、アースプレート４５をばね部材のばね力で前進位置に保持しても良い。この構成の場合、アースプレート４５の操作子５７をばね部材のばね力に抗して操作することに基づいてアースプレート４５を後退位置にスライド操作し、アースプレート４５の操作子５７から操作力が除去されることに基づいてアースプレート４５をばね部材のばね力で前進位置に復帰させる。
【００６０】
上記実施例１においては、スクリューベース７３をモータ受け６４に払出しモータ５８とは異なる複数のネジを介して固定しても良い。この場合、複数のネジのそれぞれを上方からスクリューベース７３を通してモータ受け６４に螺合または下方からスクリューベース７３を通してモータ受け６４に螺合すると良い。
【００６１】
上記実施例１においては、球タンク２５の底板２９を左から右に向けて下降傾斜させ、球タンク２５内の遊技球を左から右に向けて転動させる構成としても良い。この構成の場合、機構部ケース３５を球タンク２５の右側板に一体形成すると良い。
【００６２】
上記実施例１においては、アースプレート４５の左端部をスクリューベース７３に接触させることに基づいてアースプレート４５を前進位置に位置決めしても良い。
上記実施例１においては、アースプレート４５の右ガイド孔４７の内面を右ボス部４８の外周面に接触させることに基づいてアースプレート４５を前進位置または後退位置に位置決めしても良い。
【００６３】
上記実施例１においては、アースプレート４５の左ガイド孔４９の内面を左ボス部５０の外周面に接触させることに基づいてアースプレート４５を前進位置または後退位置に位置決めしても良い。
【符号の説明】
【００６４】
２５は球タンク（タンクレール）、２９は底板、３５は機構部ケース（ケース）、３６は開口部、３７は球仕切板、３８は前球仕切板、３９は後球仕切板、４１は前整列路（第１の前整列路）、４１ａは前延長整列路（第２の前整列路）、４２は後整列路（第１の後整列路）、４２ａは後延長整列路（第２の後整列路）、４５はアースプレート（アース板）、５０は左ボス部（座部材）、５３は右排出孔（排出孔）、５４は左排出孔（排出孔）、５５は右切欠部（排出孔）、５６は左切欠部（排出孔）、５８は払出しモータ、５９は回転軸、６１はスクリュー、６４はモータ受け（支持部材）、７２はネジ（取付具）、７３はスクリューベース（ベース部材）、７５は取付片、７７はネジ（取付具）、７８は前スペーサ（スペーサ部材）、７９は後スペーサ（スペーサ部材）、８０は前球通路（球通路）、８１は後球通路（球通路）、８２は前球抜き通路、８３は後球抜き通路、８４は前球検出スイッチ、８５は後球検出スイッチを示している。
【図１】
2012152618.tif 000003
【図２】
2012152618.tif 000004
【図３】
2012152618.tif 000005
【図４】
2012152618.tif 000006
【図５】
2012152618.tif 000007
【図６】
2012152618.tif 000008
【図７】
2012152618.tif 000009
【図８】
2012152618.tif 000010
【図９】
2012152618.tif 000011
【図１０】
2012152618.tif 000012
【図１１】
2012152618.tif 000013
【図１２】
2012152618.tif 000014
【図１３】
2012152618.tif 000015